(57)【特許請求の範囲】
【請求項１】
移動ロボット（１）のための衝撃吸収装置において、
−  前記移動ロボット（１）に連結される剛構造（２０）と、
−  変形可能な外殻（２１；２３）と、
−  緩衝器（２２；２４）と、
−  前記剛構造（２０）に固定される電子モジュール（５４）と
を備え、前記緩衝器（２２；２４）が、主方向（Ｘ）に出るセルの組を備える可撓性セル状構造からなり、および第１の端部で前記剛構造（２０）に前記主方向（Ｘ）に取り付けられ、かつ前記第１の端部と反対の第２の端部で前記変形可能な外殻（２１；２３）に前記主方向（Ｘ）に連結され、
前記緩衝器（２４）が、両端で前記主方向（Ｘ）に出る排気筒（６０）を備え、前記電子モジュール（５４）によって放出された熱を前記移動ロボット（１）から排出することを可能にすることを特徴とする、衝撃吸収装置。
【請求項２】
前記外殻（２１）が、少なくとも１つのサイレントブロックタイプの吸収性固定部（４３）によって、前記剛構造（２０）にも直接連結される、請求項１に記載の装置。
【請求項３】
前記緩衝器（２２；２４）が、前記主方向（Ｘ）に実質的に直角なシール平面を備え、前記緩衝器（２２；２４）の前記可撓性セル状構造が、前記セルが前記主方向（Ｘ）において前記シール平面からの距離を縮めるように構成される、請求項１または２に記載の装置。
【請求項４】
前記緩衝器（２２；２４）が、天然ゴム、４−ポリイソプレン、合成ポリイソプレン、ポリブタジエン、スチレン−ブタジエン共重合体、ポリイソブチレン、イソブチレン−イソプレン、クロロプレン、ネオプレン、ブタジエン−アクリロニトリル共重合体、エチレン−プロピレン共重合体、三元重合体、ポリエーテルブロックアミド、エラストマー熱可塑性樹脂、熱可塑性ポリウレタン、熱可塑性オレフィン、ポリサルファイド、エラスチンタンパク質、シリコーンエラストマー、フルオロエラストマー、パーフルオロエラストマー、エチレン−酢酸ビニル共重合体、ポリアクリル酸エラストマー、エチレン−アクリル共重合体、クロロスルホン化ポリエチレン、エピクロロヒドリンエラストマーを含むリストから選択される材料からなる、請求項１〜３のいずれか一項に記載の装置。
【請求項５】
前記緩衝器（２４）に固定され、および前記電子モジュール（５４）の近くでかつ前記排気筒（６０）を通して空気流を発生させることが可能なファン（５５）を備える、請求項１〜４のいずれか一項に記載の装置。
【請求項６】
前記剛構造（２０）に連結される少なくとも１つの光源（５６；５７）を備え、前記緩衝器（２２）が、前記光源（５６；５７）によって前記移動ロボット（１）から放出される光を案内するように構成される突出ダクト（５０；５１）を備える、請求項１〜５のいずれか一項に記載の装置。
【請求項７】
前記剛構造（２０）に連結される少なくとも１つの音源（５８）を備え、前記緩衝器（２２）が、前記音源（５８）によって前記移動ロボット（１）から放出される音波を案内するように構成される突出ダクト（５２）を備える、請求項１〜６のいずれか一項に記載の装置。
【請求項８】
前記外殻（２１）の内壁に固定される少なくとも１つのマイク（５３）を備え、前記緩衝器（２２）が防音を可能にする、請求項１〜７のいずれか一項に記載の装置。
【請求項９】
請求項１〜８のいずれか一項に記載の衝撃吸収装置を備えるヒューマノイドロボット。
【請求項１０】
前記剛構造（２０）が前記移動ロボット（１）の胴部（２）に連結される、請求項１〜８のいずれか一項に記載の衝撃吸収装置（１１；１２）を備えるヒューマノイドロボット（１）の頭部。
【請求項１１】
前記頭部（１０）の前部に配置される第１の衝撃吸収装置（１１）と、前記頭部（１０）の後部に配置される第２の衝撃吸収装置（１２）とを備え、前記２つの衝撃吸収装置（１１、１２）が、前記主方向（Ｘ）の方向において互いに対向して、かつ両方の衝撃吸収装置（１１、１２）に共通の剛構造（２０）の両側に配置される、請求項１０に記載のヒューマノイドロボットの頭部。
【請求項１２】
前記ヒューマノイドロボットの前部に配置される第１の衝撃吸収装置と、前記ヒューマノイドロボットの後部に配置される第２の衝撃吸収装置とを備え、前記２つの衝撃吸収装置が、前記主方向（Ｘ）の方向において互いに対向して、かつ両方の衝撃吸収装置に共通の剛構造の両側に配置される、請求項９に記載のヒューマノイドロボットの胴。
【発明の詳細な説明】
【技術分野】
【０００１】
本発明は、概して、衝撃吸収装置に関し、特に、電子機器を取り付けて、たとえば、そのような電子機器（基板、構成要素など）を含む機器の転倒に関連する衝撃から電子機器を保護するための衝撃吸収装置に関する。本発明は、ヒューマノイドロボットに組み込まれる電子機器の、これらのロボットの利用の進展に特に不利益な事象である前記ロボットの転倒に対する保護に特に有用である。
【背景技術】
【０００２】
ロボットは、それが人の外観および機能、頭部、胴部、２本の腕、２つの手部、２本の脚、または２つの足部の特定の属性を保有する時点から、ヒューマノイドとして示され得る。ヒューマノイドロボットは、歩行し、四肢または頭部によってジェスチャを行うことが可能である。実行することが可能であるジェスチャの複雑さは、常に向上している。これらの進歩にもかかわらず、ヒューマノイドロボットは、転倒の影響を受けやすいままである。これらの転倒は、ロボットのデバッグテスト中に起こる可能性があるが、回避不能な障害または外部からの介入のために、続くロボットの使用フェーズで起こる可能性もある。消費者による使用を可能にするために、ヒューマノイドロボットは、そのような転倒に繰り返し耐えることができる必要がある。
【０００３】
特定の困難は、比較的高い位置にあるヒューマノイドロボットの重心のために生じる。たとえば７０ｃｍの寸法のロボットが転倒すると、地面に衝突する頭部の構成要素が受ける減速度は、７０Ｇのオーダーの値に到達する可能性がある。これらの好ましくはないが回避不能な転倒は、現在のロボットにおいて可能性があり、電子機器またはセンサおよびアクチュエータなどの脆弱な構成要素に損傷を与える。
【０００４】
既知のアプローチにおいて、重心を下げることによってこの困難を回避する試みが行われている。たとえば、スカートの形態の下部に最も重い設備機器を収容するロボットが知られている。しかし、このアプローチは、ロボットの上部、特に腕および頭部の動きおよび機能を制限する欠点を有する。転倒に対するロボットの耐性を改善するために、ロボットの転倒が検出されたときに起動するように構成される保護機構も検討されている。このアプローチも、特に、ロボットが動いている間の保護機構のタイミングの悪い起動という限界を示している。
【発明の概要】
【発明が解決しようとする課題】
【０００５】
したがって、ヒューマノイドロボットの機械的強度を改善し、ヒューマノイドロボットに対する繰り返しの衝撃に耐えることを可能にする利用可能な解決方法を有することが望まれている。明らかに、そのような解決方法は、ロボットの機能的および構造的環境に適合させることができる必要がある。
【課題を解決するための手段】
【０００６】
このため、本発明の主題は、移動ロボットのための衝撃吸収装置であって、
−  ヒューマノイドロボットへの連結が意図される剛構造と、
−  変形可能な外殻と、
−  緩衝器と
を備え、緩衝器は、主方向に出るセルの組を備える可撓性セル状構造からなり、および第１の端部で剛構造に主方向に取り付けられ、かつ第１の端部と反対の第２の端部で変形可能な外殻に主方向に連結される、衝撃吸収装置である。
【０００７】
有利には、外殻は、少なくとも１つのサイレントブロックタイプの吸収性固定部によって、剛構造にも直接連結される。
【０００８】
有利には、緩衝器は、主方向に実質的に直角なシール平面を備え、緩衝器のセル状構造は、セルが主方向においてシール平面からの距離を縮めるように構成される。
【０００９】
有利には、緩衝器は、天然ゴム、４−ポリイソプレン、合成ポリイソプレン、ポリブタジエン、スチレン−ブタジエン共重合体、ポリイソブチレン、イソブチレン−イソプレン、クロロプレン、ネオプレン、ブタジエン−アクリロニトリル共重合体、エチレン−プロピレン共重合体、三元重合体、ポリエーテルブロックアミド、エラストマー熱可塑性樹脂、熱可塑性ポリウレタン、熱可塑性オレフィン、ポリサルファイド、エラスチンタンパク質、シリコーンエラストマー、フルオロエラストマー、パーフルオロエラストマー、エチレン−酢酸ビニル共重合体、ポリアクリル酸エラストマー、エチレン−アクリル共重合体、クロロスルホン化ポリエチレン、エピクロロヒドリンエラストマーを含むリストから選択される材料からなる。
【００１０】
有利には、装置は、剛構造に固定される電子モジュールを備え、緩衝器は、両端で主方向に出る排気筒を備え、電子モジュールで放出される熱をロボットから排出することを可能にする。
【００１１】
有利には、装置は、緩衝器に固定され、および電子モジュールの近くでかつ排気筒を通して空気流を発生させることが可能なファンを備える。
【００１２】
有利には、装置は、剛構造に連結される少なくとも１つの光源を備え、緩衝器は、光源によってロボットから放出される光を案内するように構成される突出ダクトを備える。
【００１３】
有利には、装置は、剛構造に連結される少なくとも１つの音源を備え、緩衝器は、音源によってロボットから放出される音波を案内するように構成される突出ダクトを備える。
【００１４】
有利には、装置は、外殻の内壁に固定される少なくとも１つのマイクを備え、緩衝器は防音を可能にする。
【００１５】
本発明はまた、前述の特徴を有する衝撃吸収装置を備えるヒューマノイドロボットに関する。
【００１６】
本発明はまた、剛構造がロボットの胴部に連結される、衝撃吸収装置を備えるヒューマノイドロボットの頭部に関する。有利には、頭部は、頭部の前部に配置される第１の衝撃吸収装置と、頭部の後部に配置される第２の衝撃吸収装置とを備え、２つの衝撃吸収装置は、主方向の方向において互いに対向して、かつ両方の衝撃吸収装置に共通の剛構造の両側に配置される。
【００１７】
本発明は最後に、ヒューマノイドロボットの前部に配置される第１の衝撃吸収装置と、ロボットの後部に配置される第２の衝撃吸収装置とを備え、２つの衝撃吸収装置は、主方向の方向において互いに対向して、かつ両方の衝撃吸収装置に共通の剛構造の両側に配置される、ヒューマノイドロボットの胴に関する。
【００１８】
以下の図で一例として与えられる実施形態の詳細な記述を読みとることにより、本発明はよりよく理解され、他の利点が明らかになるであろう。
【図面の簡単な説明】
【００１９】
【図１ａ】本出願人によって開発されたヒューマノイドロボットの２つの例を示す。
【図１ｂ】本出願人によって開発されたヒューマノイドロボットの２つの例を示す。
【図２ａ】それぞれ斜視図および平面図における、本発明による衝撃吸収装置を備えるヒューマノイドロボットの頭部の例を示す。
【図２ｂ】それぞれ斜視図および平面図における、本発明による衝撃吸収装置を備えるヒューマノイドロボットの頭部の例を示す。
【図３】ヒューマノイドロボットの頭部を支持する支柱に連結される前部衝撃吸収装置および後部衝撃吸収装置の分解図を示す。
【図４】３つの表示における前部装置の緩衝器および後部装置の緩衝器を示す。
【図５ａ】３つの表示におけるそれぞれ前部装置および後部装置の緩衝器を示す。
【図５ｂ】３つの表示におけるそれぞれ前部装置および後部装置の緩衝器を示す。
【発明を実施するための形態】
【００２０】
明瞭にするために、同じ要素はそれぞれの図において同じ参照記号を有する。
【００２１】
図１ａおよび１ｂは、ＡＬＤＥＢＡＲＡＮ  ＲＯＢＯＴＩＣ（商標）によって開発されたヒューマノイドロボットの２つの例を示す。図１ａに示されるヒューマノイドロボット１は、頭部１０と、胴部２と、２本の腕３と、２つの手部４と、２本の脚５と、２つの足部６とを備える。図１ｂに示されるヒューマノイドロボット１’は、頭部１０と、胴部２と、２本の腕３と、２つの手部４と、スカート７とを備える。本発明による衝撃吸収装置は、特にロボットが転倒した場合の衝撃からヒューマノイドロボットのこのような例を保護することが意図される。
【００２２】
本発明による衝撃吸収装置は、ヒューマノイドロボットの頭部に収容されてもよい脆弱な構成要素の保護に特に適している。以下に記載される実施形態は、２つの衝撃吸収装置が設けられるヒューマノイドロボットの頭部に関する。この実施形態は、たとえば７０ｃｍ以上のオーダーの大きい寸法のロボットの頭部を転倒から保護することを有効に可能にする。しかし、本発明が、２つの衝撃吸収装置が設けられるヒューマノイドロボットの頭部のこの特定の実施形態に限定されないことは明らかである。逆に、本発明は一般に、単独でまたは組み合わせて実装することができる衝撃吸収装置に関し、ヒューマノイドロボットの頭部またはヒューマノイドロボットの任意の他の構成要素の保護を保証することが理解される。より一般的には、装置は、地面と接触し、ロボットの転倒のリスクにつながる少なくとも１つの関節でつながれた下肢を備える移動ロボットに適用することができる。本明細書において、呼称「移動ロボット」は、少なくとも１つの下肢を備え、少なくとも１つの回転の自由度についてロボットの胴部に対して関節でつながれるロボットを意味する。
【００２３】
図２ａおよび２ｂは、それぞれ斜視図および平面図における、本発明による衝撃吸収装置を備えるヒューマノイドロボットの頭部の例を示す。例において、ヒューマノイドロボットの頭部１０は、前部衝撃吸収装置１１と、後部衝撃吸収装置１２と、頂部キャップ１３とを備える。前部衝撃吸収装置１１において、２つの側方オリフィス１４および１５が形成されてロボットの目を表し、中央オリフィス１６が形成されてロボットの口を表す。前部１１および後部１２の衝撃吸収装置は、ロボットの前部と後部との間で分かれる２つの共通の側方縁辺を備える。１７で参照される右側の共通の縁辺が図２ａおよび２ｂに示される。前部１１および後部１２の各衝撃吸収装置において、略半円形の開口が、２つの側方縁辺のそれぞれに沿って形成される。前部衝撃吸収装置の半円の開口は、後部衝撃吸収装置の半円の開口に面し、したがって、２つの共通の側方縁辺に沿って、ロボットの耳を表している略円形の開口１８を形成する。
【００２４】
図２ｂにおいて、ロボットの頭部１０の内部の構成要素を見ることができるように、頂部キャップ１３は示されていない。ロボットの頭部１０は、堅固な支持柱２０によってロボットの胴部２に連結される。支持柱は、図３に記載されているように、一緒に取り付けられるいくつかの構造的構成要素の組立体からなることができる。これらの構成要素は、堅固なプラスチック材料とすることができる。電子モジュール、センサ、および／またはアクチュエータなどの機器のさまざまなアイテムは、支持柱に固定することができる。
【００２５】
各衝撃吸収装置は、変形可能な外殻と緩衝器とを備える。前部衝撃吸収装置１１は、外殻２１と緩衝器２２とを備える。後部衝撃吸収装置１２は、外殻２３と緩衝器２４とを備える。これらの要素は、以下で詳細に記載される。
【００２６】
図３は、前部衝撃吸収装置、後部衝撃吸収装置、および支持柱の分解図を示す。支持柱２０は、ここで分解図に示される構造的構成要素２０ａ、２０ｂ、および２０ｃの組立体からなる。組立後、これらの構成要素は、ロボットの胴部に連結される支持柱２０を形成する。示される例において、ロボットの頭部には、互いに対向して、かつ支持柱の両側に配置される２つの衝撃吸収装置が設けられる。一般に、本発明による衝撃吸収装置は、変形可能な外殻と、緩衝器と、剛構造とを備える。衝撃吸収装置の目的は、剛構造に固定してもよい脆弱な構成要素を保護するように、衝撃によって発生するエネルギーを吸収して、放散させることである。示される例において、支持柱２０は、２つの衝撃吸収装置１１および１２に共通の剛構造を構成する。または換言すれば、衝撃吸収装置のそれぞれの剛構造は、ロボットの頭部がその胴部に対して保持されることを保証する支持柱に取り付けられる。
【００２７】
図４は、３つの表示による前部１１および後部１２の衝撃吸収装置の緩衝器２２および２４を示す。それぞれ前部緩衝器２２および後部緩衝器２４のこれらの２つの緩衝器はまた、それぞれ図５ａおよび図５ｂで３つの表示によって示される。
【００２８】
示される例において、ヒューマノイドロボットの頭部は、２つの衝撃吸収装置を備える。本発明による衝撃吸収装置は、ヒューマノイドロボットに連結される剛構造２０と、変形可能な外殻と、主方向Ｘに出るセルの組を備える可撓性セル状構造からなる緩衝器とを備えることを特徴とする。さらにまた、緩衝器は、第１の端部で剛構造に主方向Ｘに取り付けられて保持され、かつ第１の端部と反対の第２の端部で変形可能な外殻に主方向Ｘに連結される。
【００２９】
さまざまな材料は、変形可能な外殻の製造のために考慮される。たとえば、ポリスチレンを実装することができる。また、その外観を改善または補修するために、コーティングまたは表面処理を変形可能な外殻の外壁に適用することが想定される。
【００３０】
緩衝器は、主方向Ｘに出るセルの組を備える可撓性セル状構造からなる。特に、前部緩衝器２２のセル状構造が図５ａに示される。セル状構造は、主方向に実質的に平行な複数の壁３０を備える。壁は、主方向に出るセル３１の組を画定する。弾性変形が可能なさまざまな材料が緩衝器の製造のために想定される。シリコーン、ポリウレタン、またはスポンジタイプの植物物質が特に想定される。優先的に、緩衝器は、天然ゴム、４−ポリイソプレン、合成ポリイソプレン、ポリブタジエン、スチレン−ブタジエン共重合体、ポリイソブチレン、イソブチレン−イソプレン、クロロプレン、ネオプレン、ブタジエン−アクリロニトリル共重合体、エチレン−プロピレン共重合体、三元重合体、ポリエーテルブロックアミド、エラストマー熱可塑性樹脂、熱可塑性ポリウレタン、熱可塑性オレフィン、ポリサルファイド、エラスチンタンパク質、シリコーンエラストマー、フルオロエラストマー、パーフルオロエラストマー、エチレン−酢酸ビニル共重合体、ポリアクリル酸エラストマー、エチレン−アクリル共重合体、クロロスルホン化ポリエチレン、エピクロロヒドリンエラストマーを含むリストから選択される材料からなる。
【００３１】
緩衝器は、第１の端部で支持柱２０に主方向に取り付けられ、かつ第１の端部の反対の第２の端部で変形可能な外殻に主方向に連結される。図４は、前部衝撃吸収装置１１に関して、支持柱に取り付けられる第１の端部４０と、変形可能な外殻２１に連結される第２の端部４１とを示す。第１の端部は、さまざまな固定手段、特に接着によって支持柱に取り付けることができる。同様に、第２の端部は、さまざまな連結手段によって変形可能な外殻に連結することができる。それは特に、接着によって外殻に固定することができる。
【００３２】
特定の実装形態において、緩衝器は、簡単な取付けによって支持柱上に保持され、簡単な取付けによって外殻の保持も保証する。この実装形態において、前部および後部衝撃吸収装置の外殻は、それらの共通の側方縁辺１７で一緒に連結することができる。外殻が緩衝器上に単純に取り付けられ、緩衝器が支持柱上に取り付けられることによって、殻は支持柱に対して浮遊している。
【００３３】
変形可能な殻および緩衝器からなる衝撃吸収装置のこの構成は、剛構造上に固定される繊細な構成要素を保護するために特に好適である。たとえば、ロボットの前方または後方への転倒時、頭部は、主方向に近い方向で地面に衝突する。外殻は、変形することによって衝撃を部分的に吸収し、衝撃を緩衝器に部分的に伝達する。次いで、これらの衝撃は、緩衝器によって２つの段階で吸収される。まず、それは、セル状構造の壁の座屈変形を引き起こす。主方向に対する適切な角度での壁のこの変形時、比較的弱い応力は対抗される。次いで、第２段階において、壁の座屈が衝撃のすべてを吸収するのに十分でない場合、それは緩衝器を形成する弾性材料の弾性変形によって吸収される。より詳細には、それぞれの壁が座屈後に互いを支えあい、次いで、緩衝器が実質的に均等に弾性変形によって作動する。
【００３４】
したがって、ロボットの頭部に収容されて、支持柱上に固定される繊細な構成要素は、より段階的な減速を受ける。外殻から支持柱まで伝達される衝撃波は、殻および緩衝器の連続変形によって実質的に軽減される。
【００３５】
本発明の好適な実装形態において、衝撃吸収装置の外殻はまた、少なくとも１つのサイレントブロックタイプの吸収性固定部によって、支持柱に直接連結することができる。図３に示されるように、複数のサイレントブロックタイプの吸収性固定部４３によって前部衝撃吸収装置１１の外殻２１を固定することが想定される。吸収性固定部４３は、これらの２つの要素の間の衝撃および振動を吸収することが可能な弾性材料のいくつかのブロックによって、支持柱を外殻に連結する。したがって、衝撃を受けた場合、これらの吸収性固定部は、緩衝器と同時に変形し、外殻に対する衝撃の吸収にも寄与する。したがって、この構成は、ロボットの外面、たとえば、ロボットの顔の線などから突出する要素が、外殻の変形および緩衝器の壁の座屈によって、支持柱への衝撃波の伝播に寄与することなく、変形することを可能にする。衝撃は、この最初の変形後、吸収性固定部によって、かつ緩衝器の弾性変形によって吸収および放散される。
【００３６】
緩衝器のセル状構造は、設計の大きい柔軟性を提供し、衝撃吸収装置をロボットの構造的かつ機能的な環境に有利に適合させることを可能にする。たとえば、ロボットの頭部は、支持柱に連結される１つまたは複数の光源を備えて、ロボットの目を表すことができる。次いで、前部衝撃吸収装置の緩衝器は、図５ａにおいて５０および５１で参照される１つまたは複数の突出ダクトを備えて、ロボットの頭部から光源によって放出される光を、たとえば、図２ａおよび２ｂに示されるオリフィス１４および１５を通して案内することを可能にする。突出ダクト５０および５１は、一端で支持柱に、かつ第２の端部で外殻の内壁に取り付けられる。それらは光ガイド機能を保証する。有利には、それらは、光源によって放出される光を１点に集めること、および衝撃を受けた場合にこの光源を保護することの両方を可能にする。
【００３７】
ロボットの頭部はまた、支持柱に連結される１つまたは複数の音源５８を備えることができる。次いで、同じ原理によって、衝撃吸収装置の緩衝器は、１つまたは複数の突出ダクト５２を備えて、ロボットの頭部から音源によって放出される音波を案内することを可能にする。前述のように、これらの突出ダクト５２は、一端で支持柱に、かつ第２の端部で外殻の内壁に取り付けられることができ、頭部からの音波を案内すること、および衝撃を受けた場合に音源を保護することの両方を可能にする。
【００３８】
衝撃吸収装置の外殻の内壁にマイク５３を固定することも本発明によって想定される。殻は、緩衝器、場合によっては吸収性固定部によって支持柱に連結され、衝撃および振動の吸収が可能である。変形可能な外殻へのマイクの固定は、有利には、たとえばロボットの動きに関連する振動から生じる騒音を制限することを可能にする。
【００３９】
図に示されるように、セル状構造は、ロボットの頭部の冷却を保証するように構成することもできる。ロボットの頭部の電子部品によって放出される熱、またはより一般的には、衝撃吸収装置の剛構造に固定される電子モジュール５４で放出される熱を排出するために、緩衝器のセル状構造は、両端で主方向に出る排気筒６０を画定するように構成され、電子モジュールで放出される熱をロボットから排出することを可能にする。換言すれば、セル状構造のセルの１つは、排気筒６０を形成する。通常作動において、セル状構造は、熱を排出することを可能にする。衝撃を受けた場合、セル状構造の座屈のために、熱の伝達が中断される可能性がある。この中断は瞬間的なものである。実質的に、衝撃時にその弾性領域で作用するセル状構造は、衝撃が終わると直ちにその元の形態に戻り、排気筒６０を通した熱の伝達の機能も再開する。
【００４０】
図５ｂは、後部衝撃吸収装置１２の緩衝器２４に形成される排気筒６０を示す。衝撃吸収装置は、緩衝器に固定されるファンを備えることができ、電子モジュールの近くで、排気筒６０を通る空気流を生成することを可能にする。このために、緩衝器２４は、ファンおよびファンの基部の４つの角の固定手段を受けるように構成される印６１を備える。支持柱上に固定される構成要素に伝達される可能性があるファンのブレードの回転に関連する騒音および振動をなくすことを可能にするため、ファンの緩衝器への固定も非常に好適である。
【００４１】
図に示される例において、排気筒およびファンは、同じ衝撃吸収装置である後部衝撃吸収装置上に形成される。２つの別の衝撃吸収装置上に排気筒およびファンを形成することも想定される。
【００４２】
排気筒６０は、緩衝器の突出セルの組のセルを構成する。排気筒は、他のセルよりも非常に大きい主方向の長さを有する。略円筒形の排気筒は、支持柱の円形断面を貫通する。それは、図４に示されるように、主方向のその端部の１つで、前部衝撃吸収装置の緩衝器と接触している。支持柱を通して取り付けられる排気筒は、重力によって支持柱上で緩衝器を支持することを可能にする。重力によるこの支持は、接着による支持柱上へ緩衝器の固定を補う。
【００４３】
衝撃吸収装置の緩衝器は、有利には、一体成形される。緩衝器は、金型スライドのない造型法で製造することができる。このために、緩衝器は、有利には、主方向に実質的に直角なシール平面を備え、セル状構造は、セルが主方向でシール平面からの距離を縮めるように構成される。緩衝器は、可撓性でありかつ極めて変形可能な材料からなり、型抜きステップで緩衝器を変形させることが可能であることにも留意すべきである。したがって、主方向への型抜きに対抗する小さい寸法の壁の存在を許容することができる。
【００４４】
図によって示される例において、頭部は２つの衝撃吸収装置を備える。本発明のこの好ましい実装形態において、ヒューマノイドロボットは、頭部と体とを備えることが想定され、その頭部は、
−  ロボットの体に連結される支持柱２０と、
−  前部衝撃吸収装置１１および後部衝撃吸収装置１２と
を備え、各衝撃吸収装置は、それぞれ２１および２３である変形可能な外殻と、それぞれ２２および２４である緩衝器と、支持柱２０に取り付けられる剛構造とを備える。
【００４５】
２つの衝撃吸収装置は、主方向において互いに対向して、かつ支持柱２０の両側に配置される。２つの衝撃吸収装置１１および１２の緩衝器は、主方向に出るセルの組を備える可撓性セル状構造からなり、および第１の端部で支持柱２０に主方向に取り付けられ、かつ第１の端部の反対の第２の端部で、それぞれ２１および２３である変形可能な外殻に主方向に連結される。前部衝撃吸収装置１１の外殻２１はまた、少なくとも１つのサイレントブロックタイプの吸収性固定部によって、支持柱２０に直接連結される。
【００４６】
後部衝撃吸収装置１２の緩衝器２４は、２つの端部で主方向に出る排気筒６０を備え、頭部から支持柱２０に固定される電子モジュールによって放出される熱を排出することを可能にする。後部衝撃吸収装置１２はまた、緩衝器２４上に固定されるファンを備え、電子モジュールの近くでかつ後部衝撃吸収装置１２の排気筒６０を通して空気流を生成することが可能である。
【００４７】
前部衝撃吸収装置１１の緩衝器２２は、２つの突出ダクト５０および５１を備え、支持柱２０上に固定される２つの光源５６および５７によってそれぞれ放出される光を頭部から案内することを可能にする。緩衝器２２はまた、少なくとも１つの突出ダクトを備え、支持柱２０上に固定される音源５８によって放出される音波を案内することを可能にする。最後に、前部衝撃吸収装置１１は、外殻２１の内壁に固定される少なくとも１つのマイクも備える。
【００４８】
本発明は一般に、衝撃吸収装置に関する。衝撃吸収装置は、たとえばヒューマノイドロボットなどの移動ロボットに特に適している。したがって、本発明はまた、前述の特徴を有する緩衝器が設けられるヒューマノイドロボットに関する。頭部が、頭部の前部に配置される第１の衝撃吸収装置と、頭部の後部に配置される第２の衝撃吸収装置とを備え、２つの衝撃吸収装置は主方向の方向において互いに対向して、かつ両方の衝撃吸収装置に共通の剛構造の両側に配置されるロボットが想定される。
【００４９】
胴が、ヒューマノイドロボットの前部に配置される第１の衝撃吸収装置と、ロボットの後部に配置される第２の衝撃吸収装置とを備え、２つの衝撃吸収装置は主方向の方向において互いに対向して、かつ両方の衝撃吸収装置に共通の剛構造の両側に配置される、ヒューマノイドの性質のロボットも想定される。
【図１ａ】
0006416935.tif 000002
【図１ｂ】
0006416935.tif 000003
【図２ａ】
0006416935.tif 000004
【図２ｂ】
0006416935.tif 000005
【図３】
0006416935.tif 000006
【図４】
0006416935.tif 000007
【図５ａ】
0006416935.tif 000008
【図５ｂ】
0006416935.tif 000009